【手続補正書】
【提出日】平成16年2月18日(2004.2.18)
【手続補正１】
【補正対象書類名】明細書
【補正対象項目名】特許請求の範囲
【補正方法】変更
【補正の内容】
【特許請求の範囲】
【請求項１】
第１の枚葉シート材と第２の枚葉シート材の間にＩＣチップ及びアンテナのＩＣユニットを封入するＩＣカードの製造方法において、各工程を搬送される搬送トレー上に前記第１の枚葉シート材を供給し、次の工程で前記ＩＣユニットを設けたインレットシート材を供給し、さらに次の工程で前記第２の枚葉シート材を供給し、さらに次の工程で前記第１及び第２のシート材を重ね合わせて前記ＩＣユニットを封入することを特徴とするＩＣカードの製造方法。
【請求項２】
前記搬送トレーは、第１の枚葉シート材を供給する工程、インレットシート材を供給する工程、第２の枚葉シート材を供給する工程、第１の枚葉シート材と第２の枚葉シート材の間にＩＣユニットを介在させて次工程に送る工程に搬送され、前記第１の枚葉シート材を供給する工程に戻り前記各工程を順に循環することを特徴とする請求項１に記載のＩＣカードの製造方法。
【請求項３】
前記第１の枚葉シート材及び前記第２の枚葉シート材に位置決めマークを付し、この位置決めマークを読み取り、この位置決めマークを基準にして前記第１の枚葉シート材及び前記第２の枚葉シート材の位置決めを行なうことを特徴とする請求項１に記載のＩＣカードの製造方法。
【請求項４】
前記搬送トレーにシート吸引手段を備え、このシート吸引手段により前記搬送トレーに供給される第１の枚葉シート材及び第２の枚葉シート材を吸引して保持することを特徴とする請求項１乃至請求項３のいずれか１項に記載のＩＣカードの製造方法。
【請求項５】
前記搬送トレーにシート押え手段を備え、このシート押え手段により前記搬送トレーに供給される第１の枚葉シート材及び第２の枚葉シート材を押圧して保持することを特徴とする請求項１乃至請求項３のいずれか１項に記載のＩＣカードの製造方法。
【請求項６】
前記第１及び第２のシート材を重ね合わせて加熱することを特徴とする請求項１乃至請求項５のいずれか１項に記載のＩＣカードの製造方法。
【請求項７】
前記搬送トレーが電導性を有する材質であることを特徴とする請求項１乃至請求項６のいずれか１項に記載のＩＣカードの製造方法。
【請求項８】
前記搬送トレーは、簀の子状をしていることを特徴とする請求項１乃至請求項７のいずれか１項に記載のＩＣカードの製造方法。
【請求項９】
前記搬送トレーは、傾きを有して設けられていることを特徴とする請求項１乃至請求項７のいずれか１項に記載のＩＣカードの製造方法。
【請求項１０】
第１の枚葉シート材と第２の枚葉シート材の間にＩＣチップ及びアンテナを有するＩＣユニットを設けたインレットシート材を封入するＩＣカードの製造方法において、前記インレットシート材の一方側又は両側に反応型ホットメルトシート材を供給し、前記第１の枚葉シート材と第２の枚葉シート材の間に介在して加熱することを特徴とするＩＣカードの製造方法。
【請求項１１】
第１のシート材と第２のシート材の間にＩＣチップ及びアンテナを有するＩＣユニットを封入するＩＣカードの製造方法において、第１のシート材及び／又は第２のシート材に付された不良箇所を示すシート不良情報を読み取り、不良箇所には前記ＩＣユニットを供給しないことを特徴とするＩＣカードの製造方法。
【請求項１２】
前記ＩＣユニットを１枚毎又は複数枚同時に供給することを特徴とする請求項１０に記載のＩＣカードの製造方法。
【請求項１３】
前記シート不良情報は、第１のシート材及び／又は第２のシート材の不良位置に付された標識であることを特徴とする請求項１１に記載のＩＣカードの製造方法。
【請求項１４】
前記シート不良情報は、第１のシート材及び／又は第２のシート材の端部に付された不良位置を示すバーコードであることを特徴とする請求項１１に記載のＩＣカードの製造方法。
【請求項１５】
第１の枚葉シート材と第２の枚葉シート材の間にＩＣチップ及びアンテナを有するＩＣユニットを設けたインレットシート材を封入するＩＣカードの製造方法において、前記第１の枚葉シート材及び／又は第２の枚葉シート材のサイズより前記インレットシート材のサイズが小さいことを特徴とするＩＣカードの製造方法。
【手続補正２】
【補正対象書類名】明細書
【補正対象項目名】００１４
【補正方法】変更
【補正の内容】
【００１４】
請求項４に記載の発明は、『前記搬送トレーにシート吸引手段を備え、このシート吸引手段により前記搬送トレーに供給される第１の枚葉シート材及び第２の枚葉シート材を吸引して保持することを特徴とする請求項１乃至請求項３のいずれか１項に記載のＩＣカードの製造方法。』である。


【手続補正３】
【補正対象書類名】明細書
【補正対象項目名】００１６
【補正方法】変更
【補正の内容】
【００１６】
請求項５に記載の発明は、『前記搬送トレーにシート押え手段を備え、このシート押え手段により前記搬送トレーに供給される第１の枚葉シート材及び第２の枚葉シート材を押圧して保持することを特徴とする請求項１乃至請求項３のいずれか１項に記載のＩＣカードの製造方法。』である。


【手続補正４】
【補正対象書類名】明細書
【補正対象項目名】００１８
【補正方法】変更
【補正の内容】
【００１８】
請求項６に記載の発明は、『前記第１及び第２のシート材を重ね合わせて加熱することを特徴とする請求項１乃至請求項５のいずれか１項に記載のＩＣカードの製造方法。』である。


【手続補正５】
【補正対象書類名】明細書
【補正対象項目名】００２０
【補正方法】変更
【補正の内容】
【００２０】
請求項７に記載の発明は、『前記搬送トレーが電導性を有する材質であることを特徴とする請求項１乃至請求項６のいずれか１項に記載のＩＣカードの製造方法。』である。


【手続補正６】
【補正対象書類名】明細書
【補正対象項目名】００２２
【補正方法】変更
【補正の内容】
【００２２】
請求項８に記載の発明は、『前記搬送トレーは、簀の子状をしていることを特徴とする請求項１乃至請求項７のいずれか１項に記載のＩＣカードの製造方法。』である。


【手続補正７】
【補正対象書類名】明細書
【補正対象項目名】００２４
【補正方法】変更
【補正の内容】
【００２４】
請求項９に記載の発明は、『前記搬送トレーは、傾きを有して設けられていることを特徴とする請求項１乃至請求項７のいずれか１項に記載のＩＣカードの製造方法。』である。


【手続補正８】
【補正対象書類名】明細書
【補正対象項目名】００５０
【補正方法】変更
【補正の内容】
【００５０】
また、搬送トレー１は、図３にように構成することができる。図３（ａ）に示す実施の形態では、搬送トレー１にシート吸引手段９０を備えている。このシート吸引手段９０は、トレー底板１ａに吸引孔１ｂを形成し、吸引ブロア９１の駆動によりチャンバ９２を負圧にし、吸引孔１ｂから搬送トレー１に供給される第１の枚葉シート材２を吸引して保持し、搬送トレー１を移動して第１の枚葉シート材２上にホットメルトシート材２２、インレットシート材３２、ホットメルトシート材４２を順に重ね、さらに第２の枚葉シート材３を重ねた状態で第２の枚葉シート材３を吸引して保持する。このようにシート吸引手段９０により搬送トレー１に供給される第１の枚葉シート材２及び第２の枚葉シート材３を吸引し、高精度に位置決めすることができる。


【手続補正９】
【補正対象書類名】明細書
【補正対象項目名】００６１
【補正方法】変更
【補正の内容】
【００６１】
シート不良検出工程１００では、第１のシート材１１２と第２のシート材１１３の不良箇所を検出してシート不良情報１２０を付する。シートの故障として、キズ、印刷不良、ゴミ不良等があり、これらの不良箇所を検出し、その検出内容位置をバーコード１２０ａでシート端部に表示し、または不良位置へ直接ラベルやマーク１２０ｂを貼る。このようにシート不良情報１２０は、例えば第１のシート材１１２に示すようにシート材の不良位置に付されたマーク１２０ｂでも、あるいは第２のシート材１１３に示すようにシート材の端部に付された不良位置を示すバーコード１２０ａでもよい。